(57)【要約】【課題】  低周波数帯の音圧を向上させる。【解決手段】  表示装置付機器のケースの表示用窓枠に周縁部を支持され、前記表示装置の表示面の保護を兼ねる音響用振動板としての透明パネル２と、透明パネル２を前記表示用窓枠に支持するためのサスペンション４と、前記表示装置を避けて透明パネル２の内面に固定され電気音響信号を機械振動に変換するアクチュエータ３とから成る平面スピーカ１において、透明パネル２の厚さは均一であるが、透明パネル２の幅ｂ（ｙ方向）はアクチュエータ３を固定した側に対して反対側（−ｘ側）へ向かうに従って狭くなっている。【選択図】      図１
2006094072.tif 000002
【特許請求の範囲】
【請求項１】
表示装置付機器のケースの表示用窓枠に周縁部を支持され、前記表示装置の表示面の保護を兼ねる音響用振動板としての透明パネルと、この透明パネルを前記表示用窓枠に支持するためのサスペンションと、前記表示装置を避けて前記透明パネルの内面に固定され電気音響信号を機械振動に変換するアクチュエータとから成る平面スピーカにおいて、前記アクチュエータを固定した側とは反対側の前記透明パネルの幅又は厚さを前記アクチュエータを固定した側に対して部分的に変更したことを特徴とする平面スピーカ。
【請求項２】
前記アクチュエータを固定した側とは反対側の前記透明パネルの厚さを前記アクチュエータを固定した側の厚さより徐々に厚くしたことを特徴とする請求項１記載の平面スピーカ。
【請求項３】
前記アクチュエータを固定した側とは反対側の前記透明パネルの幅を前記アクチュエータを固定した側の幅より徐々に狭くしたことを特徴とする請求項１記載の平面スピーカ。
【請求項４】
前記アクチュエータを固定した側とは反対側の前記透明パネル面の外周部近傍に部分的に突起を設けたことを特徴とする請求項１記載の平面スピーカ。
【発明の詳細な説明】
【技術分野】
【０００１】
本発明は携帯機器、パソコン、テレビ等の表示装置付機器に用いる平面スピーカに関する。
【背景技術】
【０００２】
従来、ＬＣＤ（液晶表示装置）等の表示装置を装備する機器のケースの表示窓枠に、周縁部を固定されて表示装置の保護と振動板とを兼ねる透明パネルと、この透明パネルの周縁部を前記表示窓枠に支持するための枠状のサスペンションと、前記透明パネルの裏面に表示装置を避けて固定され電気信号を機械振動に変換するアクチュエータとから成る平面スピーカがある（例えば、特許文献１参照。）。このような従来の平面スピーカの一例について説明する。図６は従来の平面スピーカを用いた携帯電話の要部平面図であり、図７は図６のＣ−Ｃ断面を示す要部断面図である。図８はこの平面スピーカの音響特性を示す波形図である。
【０００３】
図６、図７において、５０は表示装置付機器である携帯電話であり、５２は携帯電話５０のケースである。５３は携帯電話５０の回路基板であり、５４は回路基板５２に固定された表示装置であるＬＣＤを示している。ここで言うＬＣＤ５４とは、例えばＬＣＤホルダ等のＬＣＤ５４を回路基板５３に固定するための部材をも含んでいる表現である。３２はケース５２の表示窓枠５２ａに周縁部を固定された、ＬＣＤ５４の表示面の保護を兼ねる音響用振動板としての透明パネルを示している。透明パネル３２の背面のアクチュエータを固定した部分を含む周縁部には見切り用の印刷膜３２ａが施されている。透明パネル３２は表示装置の形に応じて略長方形をしており、アクリル樹脂などの均一材料で均一な厚さのものが用いられている。
【０００４】
３は透明パネル３２の背面のＬＣＤ５４を避けた印刷膜３２ａ面に固定されたエキサイタと呼ばれる圧電素子型又は動電型などのアクチュエータを示している。４は透明パネル３２の裏面の周縁部をケース５２の表示窓枠５２ａの上面に支持している枠状のサスペンションを示しており、スポンジ等のクッション性部材両面に粘着剤を塗布したもの（例えば日東化工（株）のポロンＬ３２）若しくは両面テープ等の粘着部材から成っている。
【０００５】
図７に示すように、５１は透明パネル３２とアクチュエータ３とサスペンション４とから構成されている平面スピーカを示している。６はスポンジ等のクッション性部材から成る枠状のシールを示しており、表示窓枠５２ａの背面とＬＣＤ５４との間にＬＣＤ５４を囲むように配設されている。
【特許文献１】特表２００２−５３３９５７号公報（図１−図７）
【発明の開示】
【発明が解決しようとする課題】
【０００６】
従来のこのような構成の平面スピーカ５１では、透明パネル３２の周縁部のみがサスペンション４によりケース５２に支持されているので、駆動信号によってアクチュエータ３が振動すると透明パネル３２がたわみ振動する。しかし、携帯電話等の小型機器の場合には透明パネル３２の面積が小さく制約されていてあまり複雑な形の振動をしない。特に、２ｋＨｚ以下ではアクチュエータ３側とその反対側の透明パネル３２とでは逆相動作をして音をうち消し合い音圧を低下させてしまうという問題があった。図８の点線の波形がこのことを示している。
【０００７】
本発明は、このような従来の問題を解決するためになされたものであり、その目的は、特に低周波数帯での音圧の低下を防止できる平面スピーカを提供することである。
【課題を解決するための手段】
【０００８】
前述した目的を達成するための本発明の手段は、表示装置付機器のケースの表示用窓枠に周縁部を支持され、前記表示装置の保護を兼ねる音響用振動板としての透明パネルと、この透明パネルを前記表示用窓枠に支持するためのサスペンションと、前記表示装置を避けて前記透明パネルの内面に固定され電気音響信号を機械振動に変換するアクチュエータとから成る平面スピーカにおいて、前記アクチュエータを固定した側とは反対側の前記透明パネルの幅又は厚さを前記アクチュエータを固定した側に対して部分的に変更したことを特徴とする。
【０００９】
また、前記アクチュエータを固定した側とは反対側の前記透明パネルの厚さを前記アクチュエータを固定した側の厚さより徐々に厚くしたことを特徴とする。
【００１０】
また、前記アクチュエータを固定した側とは反対側の前記透明パネルの幅を前記アクチュエータを固定した側の幅より徐々に狭くしたことを特徴とする。
【００１１】
また、前記アクチュエータを固定した側とは反対側の前記透明パネル面の外周部近傍に部分的に部分的に突起を設けたことを特徴とする。
【発明の効果】
【００１２】
本発明によれば、表示装置付機器のケースの表示用窓枠に周縁部を支持され、前記表示装置の保護を兼ねる音響用振動板としての透明パネルと、この透明パネルを前記表示用窓枠に支持するためのサスペンションと、前記表示装置を避けて前記透明パネルの内面に固定され電気音響信号を機械振動に変換するアクチュエータとから成る平面スピーカにおいて、前記アクチュエータを固定した側とは反対側の前記透明パネルの幅又は／及び厚さを前記アクチュエータを固定した側に対して部分的に変更したので、特に低周波数帯での音圧の低下を防止できるようになった。
【発明を実施するための最良の形態】
【００１３】
以下、本発明の実施の形態を図面を参照して詳細に説明する。図１は本発明の第一の実施の形態である平面スピーカを示す平面図である。
【００１４】
まず、本発明の第一の実施の形態である平面スピーカの構成を説明する。図１において、１は平面スピーカを示しており、２は透明パネルを示している。その他の構成は従来技術で説明したものと同様であるから、同一構成要素には同じ符号と名称と付して詳細な説明を省略する。透明パネル２は厚さは均一であるが、長辺の間隔（ｙ方向の幅ｂ）がアクチュエータ３を固定してある側から反対側（−ｘ）へ向かうに従って狭くなっている。
【００１５】
次に、本発明の第一の実施の形態の効果について説明する。アクチュエータ３を固定してある側の透明パネル２の面積に対して反対側の透明パネル２の面積が小さくなっているので、その分透明パネル２がたわみ難くなり、逆相発生音が小さくなる。これにより２ｋＨｚ以下の音圧の打ち消し合いが減少して音圧を上げることができる。
【００１６】
次に、本発明の第二の実施の形態である平面スピーカの構成を説明する。図２は第二の実施の形態である平面スピーカを示す平面図であり、図３は図２のＡ−Ａ断面図である。図２及び図３において、１１は平面スピーカを示しており、１２はこのスピーカの透明パネルを示している。透明パネル１２は、平面形状は従来のものと同様に略長方形をしているが、長辺方向（ｘ方向）の厚さｔ（ｚ方向）がアクチュエータ３を固定してある側から反対側（−ｘ側）へ向かうにしたがって徐々に増している。その他の構成は第一の実施の形態で説明したものと同様であるから、同一構成要素には同じ符号と名称と付して詳細な説明を省略する。
【００１７】
次に、本発明の第二の実施の形態の効果について説明する。アクチュエータ３を固定してある側の透明パネル１２の厚さに対して反対側の透明パネル１２の厚さが大きくなっているので、その分透明パネル１２が硬く重くなって動き難くなり、逆相発生音が小さくなる。例えば厚さｔを１ｍｍから次第に厚くして１．５ｍｍとなるようにした場合に、６００Ｈｚ、１ｋＨｚにおいて３ｄＢ程度音圧が上昇している。図８の実線の波形がこのことを示している。
【００１８】
次に、本発明の第三の実施の形態である平面スピーカの構成について説明する。図４は第三の実施の形態である平面スピーカを示す平面図であり、図５は図４のＢ−Ｂ断面を示す断面図である。図４、図５において、２１は平面スピーカを示しており、２２はこのスピーカの透明パネルを示している。透明パネル２２は、従来のものと同様に略長方形をしており厚さも均一であるが、アクチュエータ３を固定してある側と反対側の長辺に沿ってサスペンション４の内側に当たる位置に一対の突条部であるリブ２２ａが形成されている。その他の構成は第一の実施の形態で説明したものと同様であるから、同一構成要素には同じ符号と名称と付して詳細な説明を省略する。突条部は必ずしもリブ２２ａに限定されるものではなく、表示の見やすさを妨げない限りにおいて透明パネル２２の外周部近傍に部分的に設けた突起であってもよい。
【００１９】
次に、本発明の第三の実施の形態の効果について説明する。アクチュエータ３を固定してある側と反対側の透明パネル２２にリブ２２ａが形成されているので、その分透明パネル２２が硬くなって動き難くなり逆相発生音が小さくなる。したがって、特に低周波数帯における音圧の低下を防止することができる。
【産業上の利用可能性】
【００２０】
本発明の平面スピーカは、特に携帯電話やＰＤＡ等の小型携帯情報端末に広く応用できるものである。
【図面の簡単な説明】
【００２１】
【図１】本発明の第一の実施の形態である平面スピーカを示す平面図である。
【図２】本発明の第二の実施の形態である平面スピーカを示す平面図である。
【図３】図２のＡ−Ａ断面を示す断面図である。
【図４】本発明の第三の実施の形態である平面スピーカを示す平面図である。
【図５】図４のＢ−Ｂ断面を示す断面図である。
【図６】従来の平面スピーカを組み込んだ携帯機器の要部平面図である。
【図７】図６のＣ−Ｃ断面を示す要部断面図である。
【図８】平面スピーカの音響特性を示す波形図である。
【符号の説明】
【００２２】
１、１１、２１  平面スピーカ
２、１２、２２  透明パネル
３  アクチュエータ
４  サスペンション
２２ａ  リブ
ｔ  厚さ
ｂ  幅
【図１】
2006094072.tif 000003
【図２】
2006094072.tif 000004
【図３】
2006094072.tif 000005
【図４】
2006094072.tif 000006
【図５】
2006094072.tif 000007
【図６】
2006094072.tif 000008
【図７】
2006094072.tif 000009
【図８】
2006094072.tif 000010